(57)【要約】      （修正有）【課題】ガーゼ等の織布や不織布を用いて作られたマスク本体の、左右の側端辺の夫々に、耳掛紐を取付けたものにおいて、鼻部および顎から頬への面に倣ってマスク本体の密着性を向上させることにより、粉塵やウイルスの吸入阻止機能をより高めたマスクを提供する。【解決手段】織布や不織布を用いて作られ、口および鼻孔を覆うに足る大きさと形状を備えたマスク本体１の左右の側端辺３、３‘の夫々に、耳掛紐２、２‘を取付けたマスクであって、前記マスク本体１上方の縁辺４の中央部をＶカット状に縫い縮めることにより、前記縁辺４が裏面方向へ曲がりながら、傾斜面７、７として屋根状に形成されるとともに、前記マスク本体１下方の縁辺６の中央部をＶカット状に縫い縮めることにより、前記縁辺６が裏面方向へ曲がりながら、傾斜面８、８として桶状に形成されてなることを特徴とするマスク。【選択図】図２
0003113037.tif 000002
【実用新案登録請求の範囲】
【請求項１】
織布や不織布を用いて作られ、口および鼻孔を覆うに足る大きさと形状を備えたマスク本体１の左右の側端辺３、３‘の夫々に、耳掛紐２、２‘を取付けたマスクであって、
前記マスク本体１上方の縁辺４の中央部をＶカット状に縫い縮めることにより、
前記縁辺４が裏面方向へ曲がりながら、
傾斜面７、７として屋根状に形成されるとともに、
前記マスク本体１下方の縁辺６の中央部をＶカット状に縫い縮めることにより、
前記縁辺６が裏面方向へ曲がりながら、
傾斜面８、８として桶状に形成されてなることを特徴とするマスク。
【考案の詳細な説明】
【技術分野】
【０００１】
本考案は、顔面への装着性を改善したマスクに関する。詳しくは、マスク装着の際、鼻、あるいは、口周囲の息苦しさ、圧迫感等の使い勝手上の問題および顔面への気密性を改善したマスクに関する。
【背景技術】
【０００２】
従来から、マスクには、顔面への装着感を改善するために種々の工夫がなされている。図４に展開状態のマスクを表面から見た斜視図として示すように、マスクＢは、口および鼻孔を覆うに足る大きさと形状を備え、複数枚のガーゼ等織布と不織布とを重ね合わせたマスク本体１１の、左右の側端辺１３、１３‘の夫々に、ゴム輪状の耳掛紐１２、１２‘を設けている。そして、マスク本体１１の上下の縁辺１４、１６の真中において、Ｖカット状の縫い縮め部１５、１５‘を設ける。マスク本体１１の中央部をＶカットにして縫い縮めることにより、中央部の縦寸法が左右の側端辺１３、１３‘より長くなる。
【０００３】
図５に展開状態のマスクを裏面から見た斜視図として示すように、マスク本体１１の中央部において、鼻および口と対向する部分に膨んだ凹状部１９が形成されるので、この部分がマスクと鼻および口との間のゆとり空間となる。その効果として、マスク装着時における息苦しさや、密着による不快感を解消できる。
【０００４】
しかしながら、マスク本体１１の上方縁辺１４の中央部において、鼻の周囲に隙間が生じ、鼻の隆起形状との気密性は十分とは言えない。また、同様に、マスク本体１１の下方縁辺１６において顔面の頬の周囲に隙間が生じ、顔面との気密性は十分とは言えない。
【考案の開示】
【考案が解決しようとする課題】
【０００５】
昨今の様に、吸入感染性でより悪質なウイルスが次々に発見され、季節が巡る毎に多くの人々が花粉症に苦しめられている現状を考えれば、あるいは、各種の生産施設や廃棄物処理施設等で、有害な粉塵に曝さらされている人々の健康管理を考えれば、これ等の問題に対する最も手軽な解決手段となるマスクに関し、粉塵やウイルスの吸入阻止機能をより高めて行く必要性がある。
【０００６】
そこで、本考案の目的は、ガーゼ等の織布や不織布を用いて作られたマスク本体の、左右の側端辺の夫々に、耳掛紐を取付けたものにおいて、鼻部および顎から頬への面に倣ってマスク本体の密着性を向上させることにより、粉塵やウイルスの吸入阻止機能をより高めたマスクを提供する。
【課題を解決するための手段】
【０００７】
上記の目的を達成するための、本考案によるマスクは、織布や不織布を用いて作られ、口および鼻孔を覆うに足る大きさと形状を備えたマスク本体１の左右の側端辺３、３‘の夫々に、耳掛紐２、２‘を取付けたマスクであって、前記マスク本体１上方の縁辺４の中央部をＶカット状に縫い縮めることにより、前記縁辺４が裏面方向へ曲がりながら、傾斜面７、７として屋根状に形成されるとともに、前記マスク本体１下方の縁辺６の中央部をＶカット状に縫い縮めることにより、前記縁辺６が裏面方向へ曲がりながら、傾斜面８、８として桶状に形成されてなることを特徴とするマスク。
【考案の効果】
【０００８】
上記の構成を備えた本考案によるマスクは、従来のマスクに比べて以下に示す様な優れた機能を備えている。マスク本体の裏面において、上下の縁辺の中央部からマスク本体を内方へＶカット状に縫い縮めることによって、マスク本体の上縁部中央部において、隆起した鼻の部分との密着性が向上するとともに、マスク本体の下縁部中央部において、顔面の頬の部分との密着性が向上する。そのため、マスクの上下部において、粉塵やウイルス等の吸入阻止機能を顕著に高めることができる。
【考案を実施するための最良の形態】
【０００９】
本考案の実施の形態を、添付図面に示した本考案の実施例に基づいて以下に具体的に説明する。
【実施例】
【００１０】
先ず、本考案の実施例について、図１〜３を参照しながら説明する。図１は、この実施例における展開状態のマスクＡを表面から見た斜視図、図２は、マスクＡを裏面から見た斜視図、図３は、マスクＡを装着した状態の説明図である。
【００１１】
マスクＡの表面から見た斜視図として図１に示すように、マスクＡは、口および鼻孔を覆うに足る大きさと形状を備えたマスク本体１と、マスク本体１の左右の側端辺３、３‘の夫々に、ゴム輪状の耳掛紐２、２‘を設けている。そして、マスク本体１の上下の縁辺４、６の中央部において、Ｖカット状の縫い縮め部５、５‘を上下に設ける。マスク本体１の中央部の上下をＶカットにして縫い縮めることにより、中央部の膨らんだ曲線が左右の側端辺３、３‘より長くなる。
【００１２】
一方、マスクＡの裏面から見た斜視図として図２に示すように、マスク本体１上方の縁辺４の中央部において、縫い縮め部５を介してマスク本体１の上端部が傾斜面７、７として左右に形成される。そして、傾斜面７、７は、頂点Ｐ、頂点Ｑを結ぶ線を稜として、マスクＡの裏面方向へ曲がりながら左右へ延び、マスク本体１の上方から屋根状の覆いを形成する。
【００１３】
一方、マスク本体１下方の縁辺６の中央において、縫い縮め部５‘を介してマスク本体１の下端部が傾斜面８、８として左右に形成される。そして、傾斜面８、８は、頂点Ｐ‘、頂点Ｑ‘を結ぶ線を稜として、マスクＡの裏面方向へ曲がりながら左右へ延び、マスク本体１の下方で桶状を呈する。ここで、桶状とは、マスク本体１の下方において、傾斜面８、８により形成されるトレイ即ち、受け皿を意味する。
【００１４】
マスクＡの裏側は、マスク本体１の上方から傾斜面７、７がマスクＡの裏面方向へ曲がりながら延び、マスク本体１の屋根状の覆いを形成す。一方、マスク本体１下方から傾斜面８、８がマスクＡの裏面方向へ曲がりながら延び、マスク本体１の下方に桶状の受けを形成する。このようにして、マスクＡの裏側には、上方から傾斜面７、７により形成される屋根状の覆いと、下方から傾斜面８、８により形成される桶状の受けおよびマスク本体１の面によって囲まれた凹状部９が形成される。
【００１５】
以上の様に構成され、次に作用について説明する。
【００１６】
言うまでもなく、マスクに求められる機能は、身体に有害な花粉、粉塵、あるいは、ウイルス等の微粒物体が、呼気と共に体内に吸い込まれことを最大限に防ぐことである。
【００１７】
そのための対策は、マスク本体１の材質と形状に関し、顔の立体形状、特に、鼻の隆起形状あるいは顔面の頬に倣って密着するものを吟味することが大事である。    
【００１８】
マスクＡを顔面に装着した状態の側面を図３に示すように、頂点Ｐは窪んだ鼻根部Ｕの僅か下の位置に合致する。そして、マスクＡの縁辺４、４が鼻根部Ｕの僅か下部から鼻部Ｎの鼻背の左右に沿いながら、鼻部Ｎの隆起形状に倣って密着する。
【００１９】
一方、顔面下部の顎部Ｍから頬への面は、マスクＡの縁辺６、６に沿って密着する。マスクＡは、顎部Ｍから頬への面に倣って変形するので、この部分の気密性が十分に確保される。
【００２０】
そして、大事なのは、マスクＡの裏側では、上縁、下縁およびマスク本体の面によって囲まれた凹状部９が形成されるので、この凹状部９が、マスクの表外方に向かって膨らんだゆとり空間Ｓとしての機能を有することになる。
【００２１】
以上説明したように、顔面の鼻部Ｎは、縁辺４、４に沿って密着し、顔面の顎部Ｍから頬への面は、縁辺６、６に沿って密着する。そして、鼻、口および顔面の頬の周りは、外界から遮断され、マスクの表外方に向かって膨らんだゆとり空間Ｓが形成されるので、マスク本体１が鼻や口に密着して不快感をもよおすことがない。
【産業上の利用可能性】
【００２２】
ウイルスが次々に発見され、季節が巡る毎に多くの人々が花粉症の用途の他に、各種の生産施設や廃棄物処理施設等で、有害な粉塵に曝さらされている人々の健康管理を考えるうえで本考案のマスクは有効である。
【図面の簡単な説明】
【００２３】
【図１】本考案のマスクの実施例を示すもので、展開状態のマスクを表面から見た斜視図である。
【図２】同上、マスクを裏面から見た斜視図である。
【図３】同上、マスクを装着した状態の説明図である。
【図４】従来のマスクを示すもので、展開状態のマスクを表面から見た斜視図である。
【図５】同上、展開状態のマスクを裏面から見た斜視図である。
【符号の説明】
【００２４】
Ａ  マスク
Ｂ  マスク
Ｍ  顎部
Ｎ  鼻部
Ｐ、Ｑ、Ｐ‘、Ｑ‘  頂点
Ｓ  ゆとり空間
Ｕ  鼻根部
１  マスク本体
２、２‘  耳掛紐
３、３‘  側端辺
４  縁辺
５、５‘  縫い縮め部
６  縁辺
７  傾斜面
８  傾斜面
９  凹状部
１１  マスク本体
１２、１２‘  耳掛紐
１３、１３‘  側端辺
１４  縁辺
１５、１５‘  縫い縮め部
１６  縁辺
１９  凹状部
【図１】
0003113037.tif 000003
【図２】
0003113037.tif 000004
【図３】
0003113037.tif 000005
【図４】
0003113037.tif 000006
【図５】
0003113037.tif 000007